(57)【特許請求の範囲】
【請求項１】
互いに交差する一方側及び他方側リンク部材と、吊元框を備え、一方側リンク部材は、吊元側の端部が吊元框の長手方向に沿って摺動する摺動ピンで吊元框と連結してあり、他方側リンク部材は、吊元側の端部が固定ピンで吊元框と連結してあり、一方側リンク部材の摺動ピンと一方側・他方側リンク部材の交差ピンとの間の長さ、又は他方側リンク部材の固定ピンと一方側・他方側リンク部材の交差ピンとの間の長さを調整可能な調整部を有し、吊元框は、一方側リンク部材の摺動ピンが摺動する固定ガイド部と、他方側リンク部材の固定ピンにより吊元框に軸着され、他の摺動ピンが摺動する可動ガイド部を有することを特徴とする伸縮ゲート。
【発明の詳細な説明】
【技術分野】
【０００１】
本発明は、道路と敷地の境界部等に設置される伸縮ゲートに関する。
【背景技術】
【０００２】
従来より、キャスターやレールの無い、いわゆるハンガータイプの伸縮ゲートが知られている。このタイプの伸縮ゲートは、伸ばしたときに戸先部が自重で垂れ下がるので、戸先部を上に上げて垂れ下がりを抑える機構を備えている。図１１は従来の伸縮ゲートを示しており、図１１（ａ）に示すように、吊元側の下部に設けた調整ボルト９０を操作することで、戸先側が上がるようにゲート９１を全体的に傾かせ、戸先部の垂れ下がりを目立たなくしている。しかしこの機構では、図１１（ｂ）に示すように、ゲート９１を縮めたときも傾いたままになり、体裁が悪い。
【発明の概要】
【発明が解決しようとする課題】
【０００３】
本発明は以上に述べた実情に鑑み、伸ばしたときの垂れ下がりを防止でき、且つ縮めたときに傾かず見た目の良い伸縮ゲートの提供を目的とする。
【課題を解決するための手段】
【０００４】
上記の課題を達成するために請求項１記載の発明による伸縮ゲートは、互いに交差する一方側及び他方側リンク部材と、吊元框を備え、一方側リンク部材は、吊元側の端部が吊元框の長手方向に沿って摺動する摺動ピンで吊元框と連結してあり、他方側リンク部材は、吊元側の端部が固定ピンで吊元框と連結してあり、一方側リンク部材の摺動ピンと一方側・他方側リンク部材の交差ピンとの間の長さ、又は他方側リンク部材の固定ピンと一方側・他方側リンク部材の交差ピンとの間の長さを調整可能な調整部を有し、吊元框は、一方側リンク部材の摺動ピンが摺動する固定ガイド部と、他方側リンク部材の固定ピンにより吊元框に軸着され、他の摺動ピンが摺動する可動ガイド部を有することを特徴とする。
【発明の効果】
【０００５】
請求項１記載の発明による伸縮ゲートは、一方側リンク部材の摺動ピンと一方側・他方側リンク部材の交差ピンとの間の長さ、又は他方側リンク部材の固定ピンと一方側・他方側リンク部材の交差ピンとの間の長さを調整部により変更可能で、且つ吊元框は、一方側リンク部材の摺動ピンが摺動する固定ガイド部と、他方側リンク部材の固定ピンにより吊元框に軸着され、他の摺動ピンが摺動する可動ガイド部を有する構成により、伸びるにつれて戸先側が上昇するため、伸ばしたときに戸先側が垂れ下がらないようにでき、しかも縮めたときには傾かず、見た目が良い。さらに本発明の伸縮ゲートは、調整部により一方側リンク部材の摺動ピンと一方側・他方側リンク部材の交差ピンとの間の長さ、又は他方側リンク部材の固定ピンと一方側・他方側リンク部材の交差ピンとの間の長さを適宜調整することで、伸縮ゲートの長さに応じて戸先側の持ち上げる量を調整でき、様々な長さの伸縮ゲートに対応できる。また本発明の伸縮ゲートは、吊元框に一方側リンク部材の摺動ピンが摺動する固定ガイド部と、他方側リンク部材の固定ピンにより吊元框に軸着され、他の摺動ピンが摺動する可動ガイド部を有する構成により、動きが安定しスムーズになり、且つ堅牢になる。
【図面の簡単な説明】
【０００６】
【図１】図２の伸縮ゲートの吊元側を拡大して示す縦断面図である。
【図２】本発明に係る伸縮ゲートの第１実施形態を示す正面図であって、戸先側が上がるように調整部を調整した伸長状態を示す。
【図３】同伸縮ゲートの縮めたときの状態を示す正面図である。
【図４】同伸縮ゲートの上部横断面図である。
【図５】同伸縮ゲートの吊元側下部の横断面図である。
【図６】同伸縮ゲートの調整部を調整する前の状態の伸長状態を示す正面図である。
【図７】図６の伸縮ゲートの吊元側を拡大して示す縦断面図である。
【図８】伸縮ゲートが縮むにつれて水平になる様子を示す正面図である。
【図９】本発明の伸縮ゲートの第２実施形態を示す正面図であって、戸先側が上がるように調整部を調整した伸長状態を示す。
【図１０】図９の伸縮ゲートの吊元側を拡大して示す縦断面図である。
【図１１】従来の伸縮ゲートの正面図であって、（ａ）は伸ばしたときの状態、（ｂ）は縮めたときの状態を示す。
【発明を実施するための形態】
【０００７】
以下、本発明の実施の形態を図面に基づいて説明する。図１〜５は、本発明の伸縮ゲートの第１実施形態を示している。本伸縮ゲートは、キャスターやレールの無い、いわゆるハンガータイプの伸縮ゲートであって、図２に示すように、吊元側（図中右側）が上がるように傾斜した複数本の一方側リンク部材１と、吊元側が下がるように傾斜した複数本の他方側リンク部材２とが交差して配置され、各交差部をピン３で枢着して左右方向に伸縮自在なパンタグラフ機構４が構成され、パンタグラフ機構４の吊元側端部には吊元框５が、パンタグラフ機構４の戸先側端部には戸先框６がそれぞれ取付けられ、両框５，６の間の交差部に複数本の縦桟７が取付けられている。本伸縮ゲートは、図４に示すように、吊元框５が蝶番８で吊元支柱９に取付けてあり、縮めたときに水平回動させて吊元支柱９の後方に収納できるようになっている。本伸縮ゲートを伸ばしたときには、戸先框６が戸当り支柱２１に当接する。本伸縮ゲートは、伸ばした時の幅が約４０００ｍｍと、従来のハンガータイプのものよりも長くなっており、縮めたときの幅は約７００ｍｍである。
【０００８】
パンタグラフ機構４は、図１に示すように、吊元側及び戸先側の端部と、縦桟７が取付く部位とに、ピン３ａ，３ｂ，３ｃ，３ｄが上下に４本配置され、そのうち下から２番目のピン３ｂは、パンタグラフ機構４が伸縮しても上下に移動しない固定ピンとなっており、他のピン３ａ，３ｃ，３ｄはパンタグラフ機構４が伸縮する際に上下方向に摺動する摺動ピンとなっている。
吊元框５内の上部には、図１，４に示すように、固定ガイド部材１０が吊元框５の長手方向に沿って固定して取付けてあり、固定ガイド部材１０には吊元側の上部に位置する一方側リンク部材１の吊元側端部の摺動ピン３ｄが摺動可能に案内されている。
吊元框５内の中間部から下部にかけての位置には、図１，５に示すように、可動ガイド部材１１が設けてある。可動ガイド部材１１は、固定ピン３ｂにより吊元框５に軸着され、固定ピン３ｂを支点として回動可能となっている。吊元側端部の下から１番目と３番目の摺動ピン３ａ，３ｃは、可動ガイド部材１１に沿って摺動可能に案内されている。
【０００９】
吊元側端部の上側に位置する一方側リンク部材１は、図１，４，５に示すように、見込み方向の中央部と見込み方向奥側とに、２本並べて配置されている。見込み方向の中央部に配置された一方側リンク部材１ａは、外パイプ１２に内パイプ１３を挿入して２重に構成され、内パイプ１３の吊元側端部に取付けたプレート１４に調整ボルト１５が回転可能に取付けられ、調整ボルト１５は外パイプ１２の吊元側端部に設けられた雌ネジ部１６に螺合している。内パイプ１３には、各ピン３，３，…の挿通孔１７が長手方向に沿う長孔状に形成されている。したがって、調整ボルト１５を工具で回転操作すると、内パイプ１３が外パイプ１２に対して長手方向にスライドし、それに伴って一方側リンク部材１ａの吊元側端部の摺動ピン３ｄと、その一方側リンク部材１ａと交差する他方側リンク部材２及び吊元框５に隣接する縦桟７との交差部に配置される交差ピン１８（下から３番目の摺動ピン３ｃ）との長さＡが調整可能としてある。この調整ボルト１５を用いた調整部１９は、一方側リンク部材１ａの吊元側端部の摺動ピン３ｄと前記交差ピン１８間の長さＡを、同交差ピン１８と他方側リンク部材２の吊元側端部の固定ピン３ｂ間の長さＢに対して、０〜−４０ｍｍの範囲で調整できるようにしてある。また、見込み方向の中央部に配置された一方側リンク部材１ａは、見付面に固定ボルト２０が設けてあり、調整ボルト１５を操作して吊元側端部の摺動ピン３ｄと交差ピン１８間の長さＡを調整した後に固定ボルト２０を締付けると、中に入っている裏板と固定ボルト２０とで外パイプ１２と内パイプ１３とを挟み込んで固定し、吊元側端部の摺動ピン３ｄと交差ピン１８間の長さＡを一定に保つことができる。
見込み方向奥側の一方側リンク部材１ｂは、見込み方向中央部の一方側リンク部材１ａと同様に、外パイプ１２と内パイプ１３とで２重に構成してある。見込み方向奥側の一方側リンク部材１ｂは、吊元側端部の摺動ピン３ｄで見込み方向中央部の一方側リンク部材１ａと連結されているため、調整ボルト１５を操作して見込み方向中央部の一方側リンク部材１ａが伸縮すると、それと一緒に伸縮する。
【００１０】
図７に示すように、一方側リンク部材１の吊元側端部の摺動ピン３ｄと交差ピン１８間の長さＡと、他方側リンク部材２の吊元側端部の固定ピン３ｂと交差ピン１８間の長さＢとが同じ場合には、無重力状態であれば図６に実線で示すように、伸ばしたときに伸縮ゲートは水平になるが、実際には重力が働くために、図６中に仮想線で示すように、戸先側が下がるように傾斜する。
そこで本伸縮ゲートは、図１に示すように、調整ボルト１５を操作して、一方側リンク部材１の吊元側端部の摺動ピン３ｄと交差ピン１８間の長さＡが、他方側リンク部材２の吊元側端部の固定ピン３ｂと交差ピン１８間の長さＢよりも短くなるように調整することで、無重力状態では図２に実線で示すように、伸縮ゲートは戸先側が上がるように傾斜し、実際には重力による垂れ下がりと相殺されるため、図２中に仮想線で示すように、水平になる。しかも本伸縮ゲートは、図８に示すように、縮むにつれて戸先側が次第に下がり、図８（ｃ）に示す最も縮めた状態で、水平になる。このとき、吊元框５内に設けた可動ガイド部材１１は、垂直になる。反対に、伸縮ゲートを伸ばしていったときには、伸びるにつれて戸先側が次第に持ち上がる。
【００１１】
図９，１０は、本発明の伸縮ゲートの第２実施形態を示している。この伸縮ゲートは、伸ばしたときの幅が約２０００ｍｍと、第１実施形態の半分になっている。構造的には、第１実施形態のものと同一である。
本実施形態の伸縮ゲートも、図１０に示すように、第１実施形態の場合と同様に、調整ボルト１５を操作して、一方側リンク部材１の吊元側端部の摺動ピン３ｄと交差ピン１８間の長さＡが、他方側リンク部材２の吊元側端部の固定ピン３ｂと交差ピン１８間の長さＢよりも短くなるように調整することで、無重力状態では図９に実線で示すように、伸縮ゲートは戸先側が上がるように傾斜し、実際には重力による垂れ下がりと相殺されるため、図９中に仮想線で示すように、水平になる。第１実施形態の場合は、伸ばしたときの長さが長いために、図１に示すように、４０ｍｍある調整部１９の調整代のほぼ目一杯まで、一方側リンク部材１の吊元側端部の摺動ピン３ｄと交差ピン１８間の長さＡを短くしているが、第２実施形態の場合は、伸ばした時の長さが第１実施形態の半分程度なので、図１０に示すように、４０ｍｍある調整部１９の調整代のほぼ半分程度まで、一方側リンク部材１の吊元側端部の摺動ピン３ｄと交差ピン１８間の長さＡを短くしている。すなわち本発明の伸縮ゲートは、一方側リンク部材１の吊元側端部の摺動ピン３ｄと交差ピン１８間の長さＡを適宜調節することで、伸縮ゲートの長さに応じて戸先側の持ち上げる量を調節し、伸縮ゲートの長さによらず水平になるように調整できる。
【００１２】
以上に述べたように本伸縮ゲートは、一方側リンク部材１の吊元側端部の摺動ピン３ｄと交差ピン１８間の長さＡを調整可能な調整部１９を備えており、この調整部１９で前記長さＡを調整することにより、伸縮ゲートの長さに応じて戸先側の持ち上げる量を調整し、垂れ下がらないようにできる。しかも本伸縮ゲートは、伸びるにつれて戸先側が次第に持ち上がるようになっており、縮んだ状態では伸縮ゲートが傾かず、見た目が良い。
さらに本伸縮ゲートは、吊元框６に一方側リンク部材１の摺動ピン３ｄが摺動する固定ガイド部材１０と、他方側リンク部材２の固定ピン３ｂにより吊元框５に軸着され、他の摺動ピン３ａ，３ｃが摺動する可動ガイド部材１１を有することで、動きが安定しスムーズになり、且つ堅牢になる。
また本伸縮ゲートは、調整部１９を吊元側の上部に設けたので、調整がしやすい。さらに本伸縮ゲートは、調整部１９を備えた一方側リンク部材１ａを見込み方向の中央部に配置したことで、伸ばした時に見込み方向の手前側や奥側（道路側や家側）に振れるのを軽減することができる。また、調整部１９が見込み方向の中央部にあることで、道路側と家側のどちらからでも調整が行える。
【００１３】
実施形態のものは、調整部１９が一方側リンク部材１の吊元側端部の摺動ピン３ｄと交差ピン１８間の長さＡを調整可能に構成してあったが、調整部１９が他方側リンク部材２の吊元側端部の固定ピン３ｂと交差ピン１８間の長さＢを調整可能なものとすることもできる。この場合、他方側リンク部材２の吊元側端部の固定ピン３ｂと交差ピン１８間の長さＢが、一方側リンク部材１の吊元側端部の摺動ピン３ｄと交差ピン１８間の長さＡよりも長くなるように調整部１９を調整することで、伸ばしたときに戸先側が持ち上がる。
【００１４】
本発明は以上に述べた実施形態に限定されない。パンタグラフ機構は、互いに交差した一方側・他方側リンク部材を備えるものであればよく、リンク部材の本数、交差部の数等の具体的な構成は問わない。調整部は、一方側リンク部材の吊元側端部の摺動ピンと交差ピン間の長さＡ、又は他方側リンク部材の吊元側端部の固定ピンと交差ピン間の長さＢを調整可能に構成されていればよく、その具体的な構成は問わない。また調整部は、見込み方向手前側又は奥側のリンク部材に設けることもできる。
【符号の説明】
【００１５】
１  一方側リンク部材
２  他方側リンク部材
３ａ，３ｃ  他の摺動ピン
３ｂ  固定ピン
３ｄ  摺動ピン
５  吊元框
１０  固定ガイド部材（固定ガイド部）
１１  可動ガイド部材（可動ガイド部）
１５  調整ボルト
１８  交差ピン
１９  調整部
【図１】
0006335726.tif 000002
【図２】
0006335726.tif 000003
【図３】
0006335726.tif 000004
【図４】
0006335726.tif 000005
【図５】
0006335726.tif 000006
【図６】
0006335726.tif 000007
【図７】
0006335726.tif 000008
【図８】
0006335726.tif 000009
【図９】
0006335726.tif 000010
【図１０】
0006335726.tif 000011
【図１１】
0006335726.tif 000012